(57)【要約】      （修正有）【課題】文字等の入力時における操作性を向上させることが可能なキー入力装置を提供する。【解決手段】タッチパネル式表示部２に、少なくとも、テンキー３と、このテンキー３に割り当てられた各種文字・数字・記号と、を表示するためのキー入力装置において、各種文字および記号は、キートップ３ａ〜３ｌにおける縦横斜め８方向のフリック操作およびその距離が判定手段によって認識・判定されることで入力可能とされており、一方向におけるフリック操作の距離は、判定手段によって、短距離・中距離・長距離の３段階に判定可能とされ、かつ、その距離の段階に応じて、異なる各種文字および記号が入力可能とされており、短距離・中距離・長距離におけるフリック操作時には、入力中の各種文字・記号が吹き出し表示される吹き出し表示部２ｂが、テンキー３上またはテンキー３の周囲に表示される。【選択図】図１
0003201735.tif 000002
【実用新案登録請求の範囲】
【請求項１】
タッチパネル式表示部に、少なくとも、
３行４列・合計１２個のキートップを備えたテンキーと、
前記１２個のキートップのそれぞれに割り当てられた各種文字・数字・記号と、を表示するためのキー入力装置において、
ユーザによる前記１２個のキートップ上のタップ操作およびフリック操作を認識するとともに、フリック操作時における方向および距離を判定する判定手段を備え、
前記数字は、前記キートップのタップ操作が前記判定手段によって認識されることで入力可能とされ、
前記各種文字および前記記号は、前記キートップにおける縦横斜め８方向のフリック操作およびその距離が前記判定手段によって認識・判定されることで入力可能とされており、
一方向における前記フリック操作の距離は、前記判定手段によって、短距離・中距離・長距離の３段階に判定可能とされ、かつ、その距離の段階に応じて、異なる前記各種文字および前記記号が入力可能とされており、
前記各種文字が仮名の場合には、清音大文字が前記短距離のフリック操作に割り当てられ、前記清音大文字に対応した濁音文字または小文字が前記中距離または前記長距離のフリック操作に割り当てられ、前記清音大文字に対応した半濁音文字が前記長距離のフリック操作に割り当てられ、
前記各種文字がアルファベットの場合には、小文字が前記短距離のフリック操作に割り当てられ、大文字が前記中距離または前記長距離のフリック操作に割り当てられ、
前記記号の場合には、使用頻度の高い記号が前記短距離のフリック操作に割り当てられ、前記使用頻度の高い記号と関連性の高い記号が前記中距離または前記長距離のフリック操作に割り当てられており、
前記短距離・前記中距離・前記長距離におけるフリック操作時には、入力中の前記各種文字・前記記号が吹き出し表示される吹き出し表示部が、前記テンキー上または前記テンキーの周囲に表示されることを特徴とするキー入力装置。
【請求項２】
請求項１に記載のキー入力装置において、
前記吹き出し表示部は、前記３段階の距離ごとに異なる色付けがなされていることを特徴とするキー入力装置。
【請求項３】
請求項１または２に記載のキー入力装置において、
前記１２個のキートップのそれぞれは、上段・中段・下段の３つの領域に分けられ、前記中段の領域には、前記数字または前記記号が一つ表示され、前記上段および前記下段の領域のそれぞれには、複数の前記各種文字・前記記号が表示されており、
前記上段または前記下段の領域には、左右方向にフリック操作されることで入力される左右対応の前記各種文字・前記記号が含まれ、
前記左右対応の各種文字・記号は、前記上段または前記下段の領域において異なる方向にフリック操作されて入力される他の前記各種文字・前記記号よりも、前記中段の領域に寄って配置されていることを特徴とするキー入力装置。
【請求項４】
請求項１〜３のいずれか一項に記載のキー入力装置において、
前記タッチパネル式表示部には、前記テンキーが表示されたエリアの左右両側に前記テンキーと並んで、前記テンキーによる前記各種文字・前記記号の入力を補助する機能を実行するための複数のキートップを備えた機能キーエリアが配置されており、
前記機能キーエリアに向かってフリック操作が行われて前記各種文字・前記記号が入力される場合のために、前記機能キーエリア上で、かつ前記機能キーエリアを越えない範囲で前記３段階のフリック操作が可能に設定されていることを特徴とするキー入力装置。
【請求項５】
請求項４に記載のキー入力装置において、
前記判定手段は、前記機能キーエリアにおける複数のキートップ上のタップ操作およびフリック操作を認識可能に設定されており、
前記機能キーエリアにおける前記複数のキートップには、前記テンキーの操作によって入力された前記文字・前記記号からなる文字列を左側および右側に一括消去するための機能を有するキートップが含まれ、
当該一括消去用の前記キートップにおける前記文字列を左側に一括消去するための機能には、左側へのフリック操作が割り当てられ、前記文字列を右側に一括消去するための機能には、右側へのフリック操作が割り当てられていることを特徴とするキー入力装置。
【請求項６】
請求項１〜５のいずれか一項に記載のキー入力装置において、
熟語を構成する音読み漢字の語尾の規則性に基づいて、熟語の入力時に使用頻度の高い語尾を表す仮名が、前記テンキーを構成するキートップの縁部に割り当てられて、前記音読み漢字の語頭を表す仮名と組み合わせて入力可能となっていることを特徴とするキー入力装置。
【考案の詳細な説明】
【技術分野】
【０００１】
本考案は、キー入力装置に関する。
【背景技術】
【０００２】
近年、携帯型の情報端末が多様化している。その中でもスマートフォンが大型化し、タブレットＰＣが軽量化しており、ノートパソコンの座を奪いつつある。それに伴って、文字入力も、ハードウェアのキーボードから、タッチパネル式表示部（いわゆるタッチパネル、タッチスクリーン等と呼称される）に表示されたソフトウェアキーボード（以下、ソフトキー）に替わりつつある。
ソフトキーの配列としては、ＱＷＥＲＴＹ配列やテンキー式のものを始め、様々な種類のものが知られている（例えば、非特許文献１参照）。
【先行技術文献】
【非特許文献】
【０００３】
【非特許文献１】"法林岳之の「週刊モバイルＣＡＴＣＨ ＵＰ」速報！「新しい時代のケータイを体験できるｉＰｈｏｎｅ ３Ｇ」″、［online］、平成20年7月10日、［平成25年1月19日検索］、インターネット〈URL：http://k-tai.impress.co.jp/cda/article/mobile_catchup/40804.html〉
【考案の概要】
【考案が解決しようとする課題】
【０００４】
ところで、スマートフォンやタブレットＰＣに採用されているソフトキーには、以下の通り、いくつかの課題がある。
１．  従来のソフトキーは、「かな」「英語」「数字」の三つの入力モードに分かれており、入力モードを切り替えた際に、文章入力のリズムが乱れる。
２．  従来のソフトキーでは、「かな」入力モードにおけるキートップの文字として、各行のあ段（例えば、あ行の場合は「あ」、か行の場合は「か」）のみが表示され、表示されていない文字の入力に戸惑う。
３．  従来のソフトキーは、フリック操作の方向が四方向である場合が多く、文字入力がタップ操作とフリック操作の混用となる（例えば、「あいうえお」の文字入力では五つの操作が必要であり、タップ操作とフリック操作が混用される）。
４．  従来のソフトキーでは、濁音文字・半濁音文字・小文字・大文字等の入力を行う際に、複数のキーを介して入力操作を行う必要がある。
５．  従来のソフトキーでは、使用頻度の高い記号が、三つの入力モードに分かれて登録設定されており、目当ての記号を探す場合がある。
【０００５】
本考案は上記のような課題を解決するためになされたものであり、その目的は、文字等の入力時における操作性を向上させることが可能なキー入力装置を提供することである。
【課題を解決するための手段】
【０００６】
請求項１に記載の考案は、例えば図１〜図１３に示すように、タッチパネル式表示部２に、少なくとも、
３行４列・合計１２個のキートップ３ａ〜３ｌを備えたテンキー３と、
前記１２個のキートップ３ａ〜３ｌのそれぞれに割り当てられた各種文字・数字・記号と、を表示するためのキー入力装置において、
ユーザによる前記１２個のキートップ３ａ〜３ｌ上のタップ操作およびフリック操作を認識するとともに、フリック操作時における方向および距離を判定する判定手段９（９ａ，９ｂ，９ｃ）を備え、
前記数字は、前記キートップ３ａ〜３ｊのタップ操作が前記判定手段９によって認識されることで入力可能とされ、
前記各種文字および前記記号は、前記キートップ３ａ〜３ｌにおける縦横斜め８方向のフリック操作およびその距離が前記判定手段９によって認識・判定されることで入力可能とされており、
一方向における前記フリック操作の距離は、前記判定手段９によって、短距離・中距離・長距離の３段階に判定可能とされ、かつ、その距離の段階に応じて、異なる前記各種文字および前記記号が入力可能とされており、
前記各種文字が仮名の場合には、清音大文字が前記短距離のフリック操作に割り当てられ、前記清音大文字に対応した濁音文字または小文字が前記中距離または前記長距離のフリック操作に割り当てられ、前記清音大文字に対応した半濁音文字が前記長距離のフリック操作に割り当てられ、
前記各種文字がアルファベットの場合には、小文字が前記短距離のフリック操作に割り当てられ、大文字が前記中距離または前記長距離のフリック操作に割り当てられ、
前記記号の場合には、使用頻度の高い記号が前記短距離のフリック操作に割り当てられ、前記使用頻度の高い記号と関連性の高い記号が前記中距離または前記長距離のフリック操作に割り当てられており、
前記短距離・前記中距離・前記長距離におけるフリック操作時には、入力中の前記各種文字・前記記号が吹き出し表示される吹き出し表示部２ｂが、前記テンキー３上または前記テンキー３の周囲に表示されることを特徴とする。
【０００７】
請求項１に記載の考案によれば、以下のような作用効果を奏する。
１．  テンキー３における１２個のキートップ３ａ〜３ｌのそれぞれに各種文字・数字・記号が割り当てられ、数字はタップ操作により入力可能で、各種文字および記号はフリック操作により入力可能であるため、従来のように「かな」「英語」「数字」の三つの入力モードを切り替えることなく、各種文字・数字・記号の入力を行うことができる。これによって、文章入力のリズムが乱れることがない。
２．  短距離・中距離・長距離におけるフリック操作時に、入力中の各種文字・記号が吹き出し表示される吹き出し表示部２ｂが、テンキー３上またはテンキー３の周囲に表示されるので、入力される文字や記号が何であるかを視認しながら入力操作を行うことができる。これによって、キートップ３ａ〜３ｌに割り当てられた全ての文字・数字・記号が“見える化”されることになり、容易に入力操作を行うことができる。
３．  各種文字および記号は、キートップ３ａ〜３ｌにおける縦横斜め８方向のフリック操作およびその距離が判定手段９によって認識・判定されることで入力可能とされているので、文字入力のほとんどがフリック操作による入力で済むことになる。これによって、文字等の入力時にタップ操作とフリック操作とが混用されることが少なくなり、容易に入力操作を行うことができる。
４．  各種文字が仮名の場合には、清音大文字が短距離のフリック操作に割り当てられ、清音大文字に対応した濁音文字または小文字が中距離または長距離のフリック操作に割り当てられ、清音大文字に対応した半濁音文字が長距離のフリック操作に割り当てられており、各種文字がアルファベットの場合には、小文字が短距離のフリック操作に割り当てられ、大文字が中距離または長距離のフリック操作に割り当てられているので、中距離または長距離のフリック操作を行うだけで、濁音文字や半濁音文字、小文字、大文字の入力を行うことができる。これによって、濁音文字や半濁音文字、小文字、大文字を、複数のキーを介して入力する必要がなくなり、濁音文字や半濁音文字、小文字、大文字の入力が容易になる。
５．  記号の場合には、使用頻度の高い記号が短距離のフリック操作に割り当てられ、使用頻度の高い記号と関連性の高い記号が中距離または長距離のフリック操作に割り当てられているので、使用頻度の高い記号がキートップ３ａ，３ｊ，３ｋ，３ｌに割り当てられていれば、従来のように「かな」「英語」「数字」の三つの入力モードを切り替えることなく、目当ての記号を探すことができる。これによって、記号の入力が容易になる。
６．  総じて、各種文字・数字・記号の入力時における操作性を向上できるので、スマートフォンやタブレットＰＣ等の携帯型の情報端末が使いやすくなる。
【０００８】
請求項２に記載の考案は、例えば図３，図６〜図８に示すように、請求項１に記載のキー入力装置において、
前記吹き出し表示部２ｂは、前記３段階の距離ごとに異なる色付けがなされていることを特徴とする。
【０００９】
請求項２に記載の考案によれば、吹き出し表示部２ｂは、３段階の距離ごとに異なる色付けがなされているので、入力される文字や記号が短距離・中距離・長距離のいずれの段階であるかを視認しながら入力操作を行うことができる。
【００１０】
請求項３に記載の考案は、例えば図１，図２（ｂ）等に示すように、請求項１または２に記載のキー入力装置において、
前記１２個のキートップ３ａ〜３ｌのそれぞれは、上段・中段・下段の３つの領域に分けられ、前記中段の領域には、前記数字または前記記号が一つ表示され、前記上段および前記下段の領域のそれぞれには、複数の前記各種文字・前記記号が表示されており、
前記上段または前記下段の領域には、左右方向にフリック操作されることで入力される左右対応の前記各種文字・前記記号が含まれ、
前記左右対応の各種文字・記号は、前記上段または前記下段の領域において異なる方向にフリック操作されて入力される他の前記各種文字・前記記号よりも、前記中段の領域に寄って配置されていることを特徴とする。
【００１１】
請求項３に記載の考案によれば、左右対応の各種文字・記号は、キートップ３ａ〜３ｌにおける上段または下段の領域において異なる方向にフリック操作されて入力される他の各種文字・記号よりも、キートップ３ａ〜３ｌにおける中段の領域に寄って配置されているので、左右対応の各種文字・記号を入力する時に、フリック操作の方向を直感的に理解しやすくなる。
【００１２】
請求項４に記載の考案は、例えば図１，図８等に示すように、請求項１〜３のいずれか一項に記載のキー入力装置において、
前記タッチパネル式表示部２には、前記テンキー３が表示されたエリアの左右両側に前記テンキー３と並んで、前記テンキー３による前記各種文字・前記記号の入力を補助する機能を実行するための複数のキートップ４ａ〜４ｈを備えた機能キーエリア４が配置されており、
前記機能キーエリア４に向かってフリック操作が行われて前記各種文字・前記記号が入力される場合のために、前記機能キーエリア４上で、かつ前記機能キーエリア４を越えない範囲で前記３段階のフリック操作が可能に設定されていることを特徴とする。
【００１３】
請求項４に記載の考案によれば、機能キーエリア４に向かってフリック操作が行われて各種文字・記号が入力される場合のために、機能キーエリア４上で、かつ機能キーエリア４を越えない範囲で３段階のフリック操作が可能に設定されているので、テンキー３の側端部に位置するキートップ３ａ，３ｄ，３ｅ，３ｋ，３ｃ，３ｆ，３ｉ，３ｌに割り当てられた各種文字・記号に３段階のフリック操作が必要なものがあった場合でも、当該各種文字・記号の入力操作を確実に行うことができる。
【００１４】
請求項５に記載の考案は、請求項４に記載のキー入力装置において、
前記判定手段９は、前記機能キーエリア４における複数のキートップ４ａ〜４ｈ上のタップ操作およびフリック操作を認識可能に設定されており、
前記機能キーエリア４における前記複数のキートップ４ａ〜４ｈには、前記テンキー３の操作によって入力された前記文字・前記記号からなる文字列を左側および右側に一括消去するための機能を有するキートップ４ｆが含まれ、
当該一括消去用の前記キートップ４ｆにおける前記文字列を左側に一括消去するための機能には、左側へのフリック操作が割り当てられ、前記文字列を右側に一括消去するための機能には、右側へのフリック操作が割り当てられていることを特徴とする。
【００１５】
請求項５に記載の考案によれば、文字列を左側に一括消去するための機能には、左側へのフリック操作が割り当てられ、文字列を右側に一括消去するための機能には、右側へのフリック操作が割り当てられているので、文字列を消去する場合に、例えば一文字ずつ消去するよりも手間なく、しかも簡単な操作で一括消去できることになる。そのため、文字等の入力時における補助機能として、文字等の入力時における操作性の向上に貢献することができる。
【００１６】
請求項６に記載の考案は、例えば図９，図１０に示すように、請求項１〜５のいずれか一項に記載のキー入力装置において、
熟語を構成する音読み漢字の語尾の規則性に基づいて、熟語の入力時に使用頻度の高い語尾を表す仮名が、前記テンキー３を構成するキートップ３ａ〜３ｌの縁部に割り当てられて、前記音読み漢字の語頭を表す仮名と組み合わせて入力可能となっていることを特徴とする。
【００１７】
請求項６に記載の考案によれば、熟語を構成する音読み漢字の語尾の規則性に基づいて、熟語の入力時に使用頻度の高い語尾を表す仮名が、テンキー３を構成するキートップ３ａ〜３ｌの縁部に割り当てられて、音読み漢字の語頭を表す仮名と組み合わせて入力可能となっているので、熟語を構成する音読み漢字の語頭の位置から始めて語尾の位置で終わる入力操作を行うことで、音読み漢字の入力を素早く容易に行うことができる。
【考案の効果】
【００１８】
本考案によれば、各種文字・数字・記号の入力時における操作性を向上できるので、スマートフォンやタブレットＰＣ等の携帯型の情報端末が使いやすくなる。
【図面の簡単な説明】
【００１９】
【図１】キー入力装置を備えた携帯機器を示す正面図である。
【図２】（ａ）タッチパネル式表示部に表示されるテンキーおよび機能キーの操作方法を示し、（ｂ）は縦横斜め８方向に対応する仮想的な８個の区画を示す図である。
【図３】入力操作時に表示される吹き出し表示部の表示例を示す図である。
【図４】テンキーの操作と入力される文字や数字、記号との対応を示す表である。
【図５】タップ操作および各種の左方向へのフリック操作時に入力される文字や数字、記号との対応を示す表である。
【図６】キー入力システムを説明する図である。
【図７】キー入力システムを説明する図である。
【図８】キー入力システムを説明する図である。
【図９】速記入力モード移行後に追加される、使用頻度の高い語尾を表す仮名の配置例を示す図である。
【図１０】速記入力モードによる熟語の入力例を示す図である。
【図１１】キートップに表示される各種文字の配列に係る変形例を示す図である。
【図１２】キートップに表示されるアルファベットの配列に係る変形例を示す図である。
【図１３】テンキーの変形例を示す図である。
【図１４】キートップに表示される各種文字の配列に係る変形例を示す図である。
【図１５】キートップに表示される各種文字の配列に係る変形例を示す図である。
【図１６】キー入力装置の付属品として用いられるリモコンの例を示す図である。
【考案を実施するための形態】
【００２０】
以下、図面を参照して本考案の実施の形態について説明する。ただし、以下に述べる実施形態には、本考案を実施するために技術的に好ましい種々の限定が付されているが、本考案の技術的範囲を以下の実施形態および図示例に限定するものではない。
【００２１】
図１は本考案に係るキー入力装置を備えたスマートフォンを示している。図１において符号１は、スマートフォンの筐体を示す。この筐体１の正面に、矩形状のタッチパネル式表示部２が設けられている。
なお、キー入力装置が搭載されるものはスマートフォンだけに限られるものではなく、タブレット端末等の携帯機器や、電子辞書、パソコンを始めとする各種電子機器に搭載されてもよい。
【００２２】
キー入力装置は、図示はしないが、スマートフォンが備える制御部や記憶部、タッチパネル式表示部２を利用して機能するものである。換言すれば、制御部や記憶部、タッチパネル式表示部２は、キー入力装置における機能以外に、スマートフォンのための機能を有する。
また、スマートフォンが備える記憶部には、例えば登録文字情報（入力・表示可能な各種文字や記号の情報）や後述する対応表７，８等のような、文字入力に必要なプログラムやデータが記憶されている。
タッチパネル式表示部２は、入力手段および表示手段であり、ユーザの指やタッチペンの動きを検出したり、様々な画面や項目を表示したりできる。また、接触したユーザの指等の動きを検知する検知手段２ｃを有する。
なお、キー入力装置による文字や記号の入力は、スマートフォンにおける制御部や記憶部、タッチパネル式表示部２（検知手段２ｃ）等を組み合わせることによって構成された判定手段９（第一判定手段９ａ、第二判定手段９ｂ、第三判定手段９ｃ）の判定に基づいて行われる。
【００２３】
本実施の形態のキー入力装置は、図１に示すように、タッチパネル式表示部２に、テンキー３と、このテンキー３に割り当てられた文字や記号を表示するためのものである。また、タッチパネル式表示部２には、テンキー３と並んで機能キー４も表示される。
なお、キー入力装置によって文字を入力する際は、例えばメール作成画面やブラウザの検索窓のように、文字が入力される対象となる文字入力欄２ａも、タッチパネル式表示部２に表示される。また、文字入力欄２ａには、次に入力される文字がどこに追加されるかを示すカーソル（キャレットともいう）が表示される。
テンキー３および機能キー４は、タッチパネル式表示部２に対して、文字入力が必要な時に自動的に表示されるか、文字入力欄２ａをタップすることで表示される。
文字入力欄２ａは、図示例に限定されるものではなく、適宜変更可能である。すなわち、文字入力欄２ａとは、入力された各種文字・記号等のデータが表示される出力手段である。
【００２４】
テンキー３は、縦３行・横４列に並ぶ複数のキートップ３ａ〜３ｌを備える。これら複数のキートップ３ａ〜３ｌには、［０］から［９］の数字が割り当てられた１０個のキートップ３ａ〜３ｊが含まれている。また、これら１０個のキートップ３ａ〜３ｊとは異なる他のキートップ３ｋ，３ｌも含まれている。
機能キー４は、テンキー３の左右両側のそれぞれに並んで配置されており、テンキー３による文字入力を補助する機能を実行するための複数のキートップ４ａ〜４ｈを備える。
【００２５】
テンキー３における１０個のキートップ３ａ〜３ｊのそれぞれには、数字の他に、さらに、［あ行］から［わ行］の五十音を含む仮名と、アルファベットまたは記号が割り当てられている。
そして、数字はタップ操作によって入力可能とされ、仮名と、アルファベットまたは記号は、縦横斜めの８方向にフリック操作によって入力可能とされている。
また、数字は、キートップ３ａ〜３ｊ上の中央付近に配列されており、仮名と、アルファベットまたは記号は、キートップ３ａ〜３ｊ上において縦横斜めの８方向に対応して配列されている。
【００２６】
なお、仮名は、キートップ上には清音の大文字で表記され、入力時にも清音大文字で入力が行われる。濁音文字、半濁音文字、小文字での入力は、後述するように、通常のフリック操作よりも距離の長いフリック操作を行うことで可能となっている。
また、アルファベットは、キートップ上には大文字で表記されているが、入力時には小文字で入力が行われる。大文字での入力は、後述するように、通常のフリック操作よりも距離の長いフリック操作を行うことで可能となっている。
【００２７】
より詳細に説明すると、１２個のキートップ３ａ〜３ｌのうち、テンキー３の最上列に位置する第一列の３個のキートップ３ａ，３ｂ，３ｃには、左から順番に、［１］［２］［３］の数字が割り当てられている。
また、第一列の下に位置する第二列の３個のキートップ３ｄ，３ｅ，３ｆには、左から順番に、［４］［５］［６］の数字が割り当てられている。
また、第二列の下に位置する第三列の３個のキートップ３ｇ，３ｈ，３ｉには、左から順番に、［７］［８］［９］の数字が割り当てられている。
また、第三列の下に位置する第四列における中央の１個のキートップ３ｊには、［０］の数字が割り当てられている。
【００２８】
さらに、１２個のキートップ３ａ〜３ｌのうち、数字が割り当てられた１０個のキートップ３ａ〜３ｊには、図２（ｂ）に示すように、縦横斜め８方向に対応して、仮名と、アルファベットまたは記号とが割り当てられる８個の区画Ｄ１〜Ｄ８が仮想的に設定されている。そして、当該８個の区画Ｄ１〜Ｄ８の方向にフリック操作を行うことによって仮名と、アルファベットまたは記号が入力可能となっている。キートップ３ｋ，３ｌでは記号が入力可能となっている。
８個の区画Ｄ１〜Ｄ８は、フリック操作の左方向に対応する第一区画Ｄ１と、斜め左上方向に対応する第二区画Ｄ２と、上方向に対応する第三区画Ｄ３と、斜め右上方向に対応する第四区画Ｄ４と、右方向に対応する第五区画Ｄ５と、斜め左下方向に対応する第六区画Ｄ６と、下方向に対応する第七区画Ｄ７と、斜め右下方向に対応する第八区画Ｄ８と、からなる。
なお、これら８個の区画Ｄ１〜Ｄ８で囲まれた区画は中心区画Ｃと称する。この中心区画Ｃには、キートップ３ａ〜３ｊでは数字が対応し、キートップ３ｋ，３ｌでは記号が対応する。また、中心区画Ｃに対応する数字や記号はタップ操作によって操作が可能となっている。
【００２９】
そして、数字の［１］が中心区画Ｃに割り当てられたキートップ３ａには、仮名の［あ行］が、［あいうえお］の順に、第一区画Ｄ１から第五区画Ｄ５まで割り当てられ、残る３個の区画Ｄ６〜Ｄ８には、記号である［＠＃＆］が順に割り当てられている。
【００３０】
数字の［２］が中心区画Ｃに割り当てられたキートップ３ｂには、仮名の［か行］が、［かきくけこ］の順に、第一区画Ｄ１から第五区画Ｄ５まで割り当てられ、残る３個の区画Ｄ６〜Ｄ８には、アルファベットである［ＡＢＣ］が順に割り当てられている。
【００３１】
数字の［３］が中心区画Ｃに割り当てられたキートップ３ｃには、仮名の［さ行］が、［さしすせそ］の順に、第一区画Ｄ１から第五区画Ｄ５まで割り当てられ、残る３個の区画Ｄ６〜Ｄ８には、アルファベットである［ＤＥＦ］が順に割り当てられている。
【００３２】
数字の［４］が中心区画Ｃに割り当てられたキートップ３ｄには、仮名の［た行］が、［たちつてと］の順に、第一区画Ｄ１から第五区画Ｄ５まで割り当てられ、残る３個の区画Ｄ６〜Ｄ８には、アルファベットである［ＧＨＩ］が順に割り当てられている。
【００３３】
数字の［５］が中心区画Ｃに割り当てられたキートップ３ｅには、仮名の［な行］が、［なにぬねの］の順に、第一区画Ｄ１から第五区画Ｄ５まで割り当てられ、残る３個の区画Ｄ６〜Ｄ８には、アルファベットである［ＪＫＬ］が順に割り当てられている。
【００３４】
数字の［６］が中心区画Ｃに割り当てられたキートップ３ｆには、仮名の［は行］が、［はひふへほ］の順に、第一区画Ｄ１から第五区画Ｄ５まで割り当てられ、残る３個の区画Ｄ６〜Ｄ８には、アルファベットである［ＭＮＯ］が順に割り当てられている。
【００３５】
数字の［７］が中心区画Ｃに割り当てられたキートップ３ｇには、仮名の［ま行］が、［まみむめも］の順に、第一区画Ｄ１から第五区画Ｄ５まで割り当てられ、残る３個の区画Ｄ６〜Ｄ８には、アルファベットである［ＰＱＲ］が順に割り当てられている。
【００３６】
数字の［８］が中心区画Ｃに割り当てられたキートップ３ｈには、仮名の［や行］が、［やゆよ］の順に、第二区画Ｄ２から第四区画Ｄ４まで、または第六区画Ｄ６から第八区画Ｄ８まで割り当てられている。
また、残る５個の区画Ｄ１，Ｄ６〜Ｄ８，Ｄ５には、アルファベットである［ＳＴＵＶＷ］が順に割り当てられている。
【００３７】
数字の［９］が中心区画Ｃに割り当てられたキートップ３ｉには、仮名の［ら行］が、［らりるれろ］の順に、第一区画Ｄ１から第五区画Ｄ５まで割り当てられ、残る３個の区画Ｄ６〜Ｄ８には、アルファベットである［ＸＹＺ］が順に割り当てられている。
【００３８】
数字の［０］が割り当てられたキートップ３ｊには、仮名の［わ行］と撥音・促音・長音符が、［わをんっー］の順に、第一区画Ｄ１から第五区画Ｄ５まで割り当てられており、残る３個の区画Ｄ６〜Ｄ８には、記号である［＊＋＝］が順に割り当てられている。
【００３９】
他のキートップ３ｋ，３ｌには、キートップ３ａに割り当てられた記号とは異なる他の記号が割り当てられている。
すなわち、他のキートップ３ｋには、速記入力モードへ移行するためや、他の機能を使用するためのボタンを示す［◎］マークと、使用頻度の高い記号が割り当てられている。
また、他のキートップ３ｌには、テンキー３に表示されないその他の記号と、絵文字や顔文字の変換リストを表示するためのボタンを示す［☆］マークと、使用頻度の高い記号が割り当てられている。
他のキートップ３ｋ，３ｌにおける使用頻度の高い記号は、キートップ３ｋ，３ｌ上において縦横斜めの８方向のフリック操作に対応して配列されている。
【００４０】
なお、キートップ３ｋに表示される使用頻度の高い記号として、複数種類の括弧が挙げられている。括弧は、括弧開き（始め括弧ともいう）と括弧閉じ（終わり括弧ともいう）とがセットで使用される場合が多いので、後述するように、フリック操作の距離に応じて、括弧開きと括弧閉じが入力できるようになっている。
また、キートップ３ｋに表示された記号「￥」の場合は、フリック操作の距離に応じて記号「＄」を入力できる。
さらに、キートップ３ｌに表示される使用頻度の高い記号として、「：」が挙げられている。そして、フリック操作の距離に応じて記号「；」を入力できる。
【００４１】
数字が割り当てられた１０個のキートップ３ａ〜３ｊおよび他のキートップ３ｋ，３ｌは、仮想的に、上段・中段・下段の３つの領域に分けられ、区割りされているものとする。
本実施の形態においては、１０個のキートップ３ａ〜３ｊのそれぞれの上段・中段・下段のうち、中段の中央に数字が表示されている。２個の他のキートップ３ｋ，３ｌにおける中段の中央のそれぞれには、［◎］マークと［☆］マークとが表示されている。
また、１０個のキートップ３ａ〜３ｊのそれぞれの上段には、上述の仮名が表示されている。他のキートップ３ｋ，３ｌのそれぞれの上段には、使用頻度の高い記号が表示されている。
また、１個のキートップ３ａの下段には、上述の記号［＠＃＆］が表示されている。９個のキートップ３ｂ〜３ｊのそれぞれの下段には、上述のアルファベットが表示されている。他のキートップ３ｋ，３ｌのそれぞれの下段には、使用頻度の高い記号が表示されている。
【００４２】
各キートップ３ａ〜３ｌにおける上段または下段の領域には、左右方向にフリック操作されることで入力される左右対応の各種文字・記号が含まれている。
すなわち、キートップ３ａ〜３ｇ，３ｉにおける上段の領域には、左右対応の文字として仮名が表示されている。キートップ３ｈにおける下段の領域には、左右対応の文字としてアルファベットが表示されている。キートップ３ｊにおける上段の領域には、左右対応の文字・記号として仮名［わ］と長音符が表示されている。他のキートップ３ｋ，３ｌにおける上段の領域には、左右対応の記号が表示されている。
【００４３】
そして、以上のような各キートップ３ａ〜３ｌにおける左右対応の各種文字・記号は、それぞれの上段または下段の領域において異なる方向にフリック操作されて入力される他の各種文字・記号よりも、中段の領域に寄って配置されている。
キートップ３ａを例に挙げて説明すると、上段の領域に表示された仮名のうち、左右対応の文字である［あ］と［お］は、異なる方向にフリック操作されて入力される［い］［う］［え］よりも、中段の領域に寄って（下寄りに）配置されている。
また、キートップ３ｈを例に挙げて説明すると、下段の領域に表示されたアルファベットのうち、左右対応の文字である［Ｓ］と［Ｗ］は、異なる方向にフリック操作されて入力される［Ｔ］［Ｕ］［Ｖ］よりも、中段の領域に寄って（上寄りに）配置されている。
【００４４】
以上のようなキートップ３ａ〜３ｌに表示された文字や記号を入力する際は、図２（ａ）に示すような操作を行う。図１におけるテンキー３の表示と、図２（ａ）に示す「・」および「矢印」とが対応関係にある。
また、図２（ａ）に示す「・」と、図２（ｂ）に示す中央区画Ｃとが対応関係にあり、図２（ａ）に示す各方向の「矢印」と、図２（ｂ）の８個の区画Ｄ１〜Ｄ８とが対応関係にある。
つまり、例えば、数字の［１］を入力する際は「・」で示すようなタップ操作を行う。また、仮名（ひらがな）または記号（＠♯＆）を入力する際は、対応する矢印の方向（区画Ｄ１〜Ｄ８の方向）にフリック操作を行う。例えば「あ」を入力する際は「←」で示すように左方向（第一区画Ｄ１のある方向）にフリック操作を行う。「♯」を入力する際は「↓」で示すように下方向（第七区画Ｄ７のある方向）にフリック操作を行う。  
【００４５】
キートップ３ａ以外の、他のキートップ３ｂ〜３ｌも同様に操作して文字入力を行うことができる。
例えば、数字の［５］を入力する際はキートップ３ｅをタップ操作し、平仮名の［も］を入力する際はキートップ３ｇを、図２（ａ）において「→」で示すように右方向（第五区画Ｄ５）にフリック操作を行う。
また、アルファベットの［ｄ］を入力する際はキートップ３ｃを、図２（ａ）において矢印で示すように左斜め下方向（第六区画Ｄ６）にフリック操作を行う。
また、記号の「／」を入力する際はキートップ３ｌを、図２（ａ）において矢印で示すように右斜め上方向（第四区画Ｄ４）にフリック操作を行う。
【００４６】
なお、数字の［８］が割り当てられたキートップ３ｈの場合、「や」「ゆ」「よ」と仮名が３つであり、「Ｓ」「Ｔ」「Ｕ」「Ｖ」「Ｗ」とアルファベットが５つである。そのため、左方向（第一区画Ｄ１のある方向）および右方向（第五区画Ｄ５のある方向）のフリック操作が、他のキートップとは異なり、アルファベット入力に設定されている。
また、数字の［０］が割り当てられたキートップ３ｊの場合、「わ」「を」の２つの仮名と、「ん」の撥音と、「っ」の促音と、「ー」の長音符とが表示されている。すなわち、撥音、促音および長音符も仮名の類として表示されている。
【００４７】
以上のようなキートップ３ａ〜３ｌの操作において、縦横斜めの８方向とは、図１に示すテンキー３の配置例を挙げて説明すると、数字を中心として、上下の方向、左右の方向、斜め左上の方向、斜め右上の方向、斜め左下の方向、斜め右下の方向を指している。
換言すれば、一つ一つのキートップ３ａ〜３ｌに設定された第一区画Ｄ１から第八区画Ｄ８の方向にフリック操作を行うことで文字入力が可能となっている。
このような文字入力に係る操作方法は、図４に示す対応表７に記載の通りである。この対応表７は、後述するがデータベース化されて、スマートフォンの記憶部に予め記憶されている。
【００４８】
また、タッチパネル式表示部２には、図１〜図３等に示すように、テンキー３が表示されたエリアの左右両側にテンキー３と並んで、テンキー３による各種文字・記号の入力を補助する機能を実行するための複数のキートップ４ａ〜４ｈを備えた機能キーエリア（機能キー４）が配置されている。
機能キー４は、テンキー３の左側と右側に、それぞれ４つのキートップ４ａ〜４ｄ，４ｅ〜４ｈを備えた状態で配置されている。
なお、以下で説明する機能キー４の各キートップ４ａ〜４ｈ上に表示されるデザイン・記号・文字はあくまで一例であり、他のデザイン等を採用してもよい。
【００４９】
キートップ４ａは、［Ａ/A］と表示され、数字やアルファベットまたは記号を入力する際に、タップ操作されることで、全角と半角を切り替えることができる。
また、入力中の、変換前の文字列の全角と半角を切り替える際に使用できるものとしてもよい。
キートップ４ｂは、［←↑↓→］すなわち縦横十字方向に矢印が表示され、上下左右（縦横）にフリックして、カーソルの位置を移動する際に使用されるものである。
文字入力欄２ａが、図１に示すような改行のできないものであれば、上下方向矢印のカーソルは使用できないが、改行のできる（複数の行を形成できる）文字入力欄の場合は、上下方向矢印のカーソルが使用できる。
キートップ４ｃは、［Mouse］と表示され、当該キートップ４ｃをタップ操作すれば、テンキー３の画面上をパッドとして利用することができる。これによって、例えば手書きによる文字入力が可能となる。
キートップ４ｄは、［設定］と表示され、各種の設定変更時に使用される。例えば、単語登録や、後述するローマ字短縮入力の設定、他のキートップ３ｋにおける機能の設定変更等を行うことができる。
【００５０】
キートップ４ｅは、［＜×＞（黒塗り横向き三角形）］と表示され、左か右にフリックして、カーソルの左か右の“１字”を削除する際に使用されるものである。
すなわち、左向きの黒塗り三角形［＜］は、パソコン等で使用される「Backspace」の機能に相当し、右向きの黒塗り三角形［＞］は、「Delete」に相当する。
キートップ４ｆは、［←×→］と表示され、左か右にフリックして、カーソルの左か右の“１行”を一括消去する際に使用されるものである。より詳細には、このキートップ４ｆは、テンキーの操作によって入力された文字・記号からなる文字列を左側および右側に一括消去するための機能を有するものである。そして、文字列を左側に一括消去するための機能には、左側へのフリック操作（短距離）が割り当てられ、文字列を右側に一括消去するための機能には、右側へのフリック操作（短距離）が割り当てられている。
キートップ４ｇは、［変換］と「空白を表す記号」とが表示され、文字と文字との間や、文字と記号との間に空白（スペース）を入力する際、および、数字や仮名、アルファベットを変換する際に使用されるものである。仮名の場合は、平仮名をカタカナに変換したり、漢字に変換したりすることができる。図示はしないが、テンキー３の上側などに変換リストを表示してもよい。すなわち、パソコン等で使用される「スペースキー」に相当する。
キートップ４ｈは、［改行を表す記号］が表示され、文章作成中に、前の行から次の行へと改行される際や、文字の変換を確定させる際に使用されるものである。すなわち、パソコン等で使用される「Enterキー」に相当する。
【００５１】
また、図３，図５に示すように、仮名の清音文字・濁音文字・半濁音文字の切り替えと、仮名の大文字・小文字の切り替えと、アルファベットの大文字・小文字の切り替えと、がキートップ３ａ〜３ｊ上でフリック操作によって行われる。
すなわち、各種文字および記号は、キートップ３ａ〜３ｊにおける縦横斜め８方向のフリック操作およびその距離が判定手段９によって認識・判定されることで入力可能とされている（図６〜図８参照）。
一方向（例えば左方向、図５参照）におけるフリック操作の距離は、判定手段９によって、短距離・中距離（ロングフリック）・長距離（長ロングフリック）の３段階に判定可能とされ、かつ、その距離の段階に応じて、異なる各種文字および記号が入力可能とされている。
なお、数字は、キートップ３ａ〜３ｊにおけるタップ操作が判定手段９によって認識・判定されることで入力可能とされている。
【００５２】
より詳細に説明すると、各種文字が仮名の場合には、図５に示すように、清音大文字が短距離のフリック操作に割り当てられている。また、清音大文字に対応した濁音文字または小文字が中距離のフリック操作に割り当てられている。さらに、清音大文字に対応した半濁音文字が長距離のフリック操作に割り当てられている。
また、各種文字がアルファベットの場合には、小文字が短距離のフリック操作に割り当てられ、大文字が中距離または長距離のフリック操作に割り当てられている。
また、記号の場合には、使用頻度の高い記号が短距離のフリック操作に割り当てられ、使用頻度の高い記号と関連性の高い記号が中距離または長距離のフリック操作に割り当てられている。
【００５３】
キートップ３ｆの場合を例に挙げると、まず、タップ操作によって数字の「６」が入力可能である。
そして、左方向へのフリック操作に対応した清音大文字である「は」が、通常のフリック長さである短距離のフリック操作によって入力可能となっている。
濁音文字である「ば」は、短距離のフリック操作よりも長いフリック長さに設定された中距離のフリック操作によって入力可能である。
半濁音文字である「ぱ」は、中距離のフリック操作よりも長いフリック長さに設定された長距離のフリック操作によって入力可能である。
すなわち、キートップ３ｆの場合は、清音大文字が「は」であるため、清音大文字と濁音文字と半濁音文字の３段階でのフリック操作が行われる。
【００５４】
キートップ３ａの場合を例に挙げると、まず、タップ操作によって数字の「１」が入力可能である。
そして、左方向へのフリック操作に対応した清音大文字である「あ」が、通常のフリック長さである短距離のフリック操作によって入力可能となっている。
清音の小文字である「ぁ」は、短距離のフリック操作よりも長いフリック長さに設定された中距離のフリック操作によって入力可能である。
すなわち、キートップ３ａの場合は、濁音・半濁音が存在しないため、清音大文字と清音小文字の２段階でのフリック操作が行われる。
【００５５】
キートップ３ｂの場合を例に挙げると、まず、タップ操作によって数字の「２」が入力可能である。
そして、左方向へのフリック操作に対応した清音大文字である「か」が、通常のフリック長さである短距離のフリック操作によって入力可能となっている。
濁音文字である「が」は、短距離のフリック操作よりも長いフリック長さに設定された中距離のフリック操作によって入力可能である。
すなわち、キートップ３ｂの場合は、濁音は存在するが、半濁音・小文字が存在しないため、清音大文字と濁音文字の２段階でのフリック操作が行われる。
【００５６】
キートップ３ｈの場合を例に挙げると、まず、タップ操作によって数字の「８」が入力可能である。
そして、左方向へのフリック操作に対応したアルファベットである「Ｓ」が、通常のフリック長さである短距離のフリック操作によって、小文字「ｓ」で入力される。
大文字である「Ｓ」は、短距離のフリック操作よりも長いフリック長さに設定された中距離のフリック操作によって入力可能である。
すなわち、キートップ３ｂの場合は、左方向へのフリック操作がアルファベットであるため、小文字と大文字の２段階でのフリック操作が行われる。
【００５７】
キートップ３ｋの場合を例に挙げると、まず、タップ操作によって記号の「◎」が押され、速記入力モードへ移行することになる。
そして、左方向へのフリック操作に対応した、使用頻度の高い記号である「＜」が、通常のフリック長さである短距離のフリック操作によって入力される。
記号「＜」と関連性の高い記号「＞」は、短距離のフリック操作よりも長いフリック長さに設定された中距離のフリック操作によって入力可能である。
すなわち、キートップ３ｋの場合は、左方向へのフリック操作が記号であるため、使用頻度の高い記号「＜」と、この記号との関連性の高い記号「＞」の２段階でのフリック操作が行われる。
【００５８】
なお、以上で挙げた各種文字・記号の例の多くが２段階のフリック操作で入力可能となっている。一方、３段階のフリック操作で入力可能なものは、本実施形態においてはキートップ３ｆのみである。
そのため、２段階のフリック操作に設定されたキートップの場合は、短距離のフリック操作と、長距離のフリック操作のそれぞれに各種文字・記号を割り当てることにより、２段階のフリック操作での入力が可能とされていてもよい。より詳細には、２段階のフリック操作で文字入力する場合に、１段階目の文字の場合は短距離のフリック操作で入力を行い、２段階目の文字の場合は、中距離のフリック操作で入力を行ってもよいし、長距離のフリック操作で入力を行ってもよい。いずれの場合であっても結果的に、２段階のフリック操作によって２つの文字を入力することができる。
【００５９】
また、図１に示すように、機能キー４は、タッチパネル式表示部２の幅方向両端部に位置しているため、機能キーエリアよりも外側の部分に指やタッチペンが接触しても、文字等の入力を行うことができない。
そのため、機能キーエリアに向かってフリック操作が行われて各種文字・記号が入力される場合のために、機能キーエリア上で、かつ機能キーエリアを越えない範囲で３段階のフリック操作が可能に設定されている。
より具体的に説明すると、図８に示すように、機能キーエリアが視認できない境界線によって３つのエリア（第一判定エリア１１ａ、第二判定エリア１１ｂ、第三判定エリア１１ｃ）に区分けされている。
キートップ３ｆを例示して説明すると、フリック操作時に指等が、機能キーエリアにおける第一判定エリア１１ａに入った際に、清音大文字である「ほ」が入力可能になり、第二判定エリア１１ｂに入った際に、濁音文字である「ぼ」が入力可能になり、第三判定エリア１１ｃに入った際に、半濁音文字である「ぽ」が入力可能になる。
【００６０】
以上のような文字入力に係る操作方法は、図５に示す対応表８に記載の通りである。この対応表８は、後述するがデータベース化されて、スマートフォンの記憶部に予め記憶されている。
また、図５に示す対応表８は、各キートップ３ａ〜３ｌにおける左方向へのフリック操作を説明するものであり、図示はしないが、他の方向へのフリック操作を説明する対応表も、データベース化されて記憶部に記憶されているものとする。
【００６１】
図３，図７，図８に示すように、上述のような１２個の各キートップ３ａ〜３ｌにおける、短距離・中距離・長距離の最大３段階のフリック操作時には、入力中の各種文字・記号が吹き出し表示される吹き出し表示部２ｂが、テンキー３上またはテンキー３の周囲に表示される。
この吹き出し表示部２ｂは、指やタッチペンがタッチパネル式表示部２に接触している箇所から吹き出し表示されているようなデザインとなっている。
なお、文字入力中はユーザ自身の手や手首によってタッチパネル式表示部２の面方向下側が部分的に隠されてしまう場合があるため、さらには、ユーザの利き手が右の場合もあるし左の場合もある。そのため、吹き出し表示部２ｂは、タッチパネル式表示部２の面方向上側に向かって吹き出し表示される。
【００６２】
また、吹き出し表示部２ｂは、短距離・中距離・長距離の３段階の距離ごとに異なる色付けがなされている。異なる色付けがなされていれば、入力される文字や記号が短距離・中距離・長距離のいずれの段階であるかを視認できる。しかも、ユーザ自身が操作している最中に途中で色が切り替わるため、注視していなくても入力される文字や記号が短距離・中距離・長距離のいずれの段階であるかが判別できる。
なお、本実施形態において、短距離のフリック操作時における吹き出し表示部２ｂは青色に色付けされている。中距離のフリック操作時における吹き出し表示部２ｂは黄色に色付けされている。長距離のフリック操作時における吹き出し表示部２ｂは赤色に色付けされている。
本実施形態における吹き出し表示部２ｂの色付けは、青・黄・赤としたが、これに限られるものではない。また、単に青色（黄色・赤色）としたが、例えば水色（橙色・ピンク色）等のように、青色（黄色・赤色）に類する色を含んでいるものとする。
【００６３】
さらに、吹き出し表示部２ｂは透視性も高く設定されており、吹き出し表示部２ｂの裏側に表示されているキートップの文字等を視認できる。そのため、次に入力しようとする文字等が吹き出し表示部２ｂによって隠れないので、文字入力の妨げとならない。
なお、本実施形態において吹き出し表示部２ｂは縁取りされているが、縁取りされていなくてもよい。縁取りされていなければ、より透視性を高めることができるので好ましい。
【００６４】
以上のような操作を可能とするため、キー入力装置は、上述した判定手段９の他に、吹き出し表示手段１０と、機能キーエリア検知判定手段１１と、を備え、スマートフォンにおける制御部や記憶部、タッチパネル式表示部２（検知手段２ｃ）等との連携によって機能するものである。
【００６５】
より詳細に説明すると、判定手段９は、スマートフォンの制御部と、スマートフォンの記憶部に記憶された対応表７，８と、タッチパネル式表示部２の検知手段２ｃ等を組み合わせることによって構成されている。
判定手段９は、テンキー３の操作においてタップ操作を認識し、さらに、短距離のフリック操作を認識・判定するための第一判定手段９ａと、中距離のフリック操作を認識・判定するための第二判定手段９ｂと、長距離のフリック操作を認識・判定するための第三判定手段９ｃと、を有する。さらに、この判定手段９は、機能キーエリアにおける各キートップ４ａ〜４ｈの操作において、タップ操作およびフリック操作を認識・判定するための図示しない第四判定手段を有するものとする（図２参照）。
吹き出し表示手段１０は、判定手段９と連携して機能するものであり、フリック操作（距離）の判定結果に基づいて、タッチパネル式表示部２のうちの適切な位置に、適切な吹き出し表示部２ｂを表示することができる。
機能キーエリア検知判定手段１１は、判定手段９と連携して機能するものであり、機能キーエリア上で、かつ機能キーエリアを越えない範囲に、短距離のフリック操作に対応する第一判定エリア１１ａ、中距離のフリック操作に対応する第二判定エリア１１ｂ、長距離のフリック操作に対応する第三判定エリア１１ｃを設定している。
【００６６】
図４，図５に示す対応表７，８は、テンキー３の操作と入力される文字や記号との対応を示している。すなわち、キートップ３ａにおいて、タップ操作をすれば数字の［１］を入力することができ、左方向にフリック操作を行えば「あ」を入力することができる。さらに左方向にフリック操作を行えば小文字の「ぁ」を入力することができる。
上述のように、スマートフォンの記憶部には、このような対応表７，８をデータベース化したものが予め記憶されている。そして、判定手段９は、図６〜図８に示すように、タッチパネル式表示部２で検知したユーザの指等の動きを対応表７，８に基づいて判定し、その判定結果に基づいて文字入力欄２ａに文字を出力することができる。
なお、図６に示されたキートップ３ａには、説明の便宜上、指やタッチペンによる操作（タップを表す点「・」、８方向のフリックを表す矢印）が併せて表示されている。
【００６７】
以上のように構成されたキー入力装置は、テンキー３の少なくとも１０個のキートップ３ａ〜３ｊが、数字・文字・アルファベットまたは記号をマルチ配列したものとして構成されており、入力文字の種別を変更する文字切り替えキーを使う必要がない。すなわち、文字の入力をワンタッチで行うことが可能なオールインワンのテンキー３を備えたものとして構成されている。
【００６８】
次に、キー入力装置に具備される速記入力モードについて説明する。なお、この速記入力モードには、上述のように、記号「◎」が表示されたキートップ３ｋをタップ操作することによって移行できる。
【００６９】
漢字の音読みは、中国語の発音に基づくものであるが、日本語には四声（中国語の声調を、中古漢語の調類に基づいて４種類に分類したもの：平声、上声、去声、入声）がない。そのため、音読みをする漢字熟語には、同じ発音であって意味の異なる同音語（同音異義語）が多い。
このような音読み漢字を組み合わせてなる熟語の場合、以下のパターンＡ〜Ｆに示すように、当該熟語を構成する音読み漢字の語尾に規則性がある。
Ａ．語尾が「〜い」、「〜う」の漢字
・該当（がい  とう）
・成功（せい  こう）
・合計（ごう  けい）
Ｂ．語尾が「〜き」、「〜く」、「〜ち」、「〜つ」の漢字
・特別（とく  べつ）
・的確（てき  かく）
・吉日（きち  じつ）
Ｃ．語尾が「〜ゃ」、「〜ゅ」、「〜ょ」の漢字
・車種（しゃ  しゅ）
・著者（ちょ  しゃ）
・御者（ぎょ  しゃ）
Ｄ．語尾が「〜ゅう」、「〜ょう」の漢字
・潮流（ちょう  りゅう）
・抽象（ちゅう  しょう）
・郷愁（きょう  しゅう）
Ｅ．語尾が「〜ん」、「〜っ」の漢字
・一般（いっ  ぱん）
・完全（かん  ぜん）
・月産（げっ  さん）
Ｆ．その他（Ｃ＋ＢｏｒＥ）の漢字
・出色（しゅっ  しょく）
・縮尺（しゅく  しゃく）
・着順（ちゃく  じゅん）
以上のように、ある程度の規則性が見られる場合、その規則性に基づいた文字入力ができれば効率が良くなり、速記入力が可能となる。
【００７０】
より詳細に説明すると、図９に示すように、熟語を構成する音読み漢字の語尾の規則性に基づいて、熟語の入力時に使用頻度の高い語尾を表す仮名が、テンキー３を構成するキートップ３ａ〜３ｌの縁部に割り当てられている。そして、図１０に示すように、音読み漢字の語頭を表す仮名と組み合わせて入力可能となっている。
図９におけるマス目は、１２個のキートップ３ａ〜３ｌを概略化したものであり、キートップ３ａ，３ｂ，３ｄ，３ｈ，３ｉ，３ｊの上縁部に、熟語の入力時に使用頻度の高い語尾を表す仮名が割り当てられている。図９では、説明の便宜上、割り当てられた箇所に「●」が表されている。
【００７１】
キートップ３ｉを除く各キートップ３ａ，３ｂ，３ｄ，３ｈ，３ｊの場合は、これら各キートップに表示される仮名（キートップ３ａの場合は［あいうえお］）のフリック操作の方向に、熟語の入力時に使用頻度の高い語尾を表す仮名が割り当てられている。
すなわち、熟語の入力時に使用頻度の高い語尾を表す仮名「〜い」の場合は、この仮名「〜１」が、キートップ３ａに表示された仮名「い」を入力する際にフリックする方向に配置されている。換言すれば、キートップ３ａの第二区画Ｄ２のある方向に、熟語の入力時に使用頻度の高い語尾を表す仮名「〜い」が割り当てられている。
熟語の入力時に使用頻度の高い語尾を表す仮名「〜い」だけでなく、他の語尾を表す仮名「〜う」、「〜う」、「〜き」、「〜く」、「〜ち」、「〜つ」、「〜ゃ」、「〜ゅ」、「〜ょ」、「〜ん」、「〜っ」も同様に割り当てられている。
【００７２】
キートップ３ｉの場合は、熟語の入力時に使用頻度の高い語尾を表す仮名が、「〜ゅう」と、「〜ょう」である。すなわち、「ゅ」と「う」の組み合わせと、「ょ」と「う」の組み合わせであるが、キートップ３ａの上縁部にも、キートップ３ｈの上縁部にも空きがないため、語尾を表す仮名「〜ゅう」、「〜ょう」は、キートップ３ｉに割り当てられている。
【００７３】
このような速記入力モードによる文字の入力は、音読み漢字の語頭を表す仮名と組み合わせて行われるものであり、図１０に示す通りである。
すなわち、例えば、熟語の「該当（がい  とう）」を入力する際は、図１０（ａ）に示すように、キートップ３ｂの左方向へのフリック操作を中距離で行って指等がキートップ３ａに達した後に、そのまま連続して、左斜め上方向に短距離のフリック操作を行う。これによって、「該（がい）」を入力することができる。
続いて、キートップ３ｄの右方向へのフリック操作を短距離で行った後に、熟語の入力時に使用頻度の高い語尾を表す仮名「〜う」の位置まで指等を移動させる。これによって、「当（とう）」を入力することができる。
つまり、図１０（ａ）に示す矢印通りに、テンキー３上で指等を移動させれば、熟語「該当（がい  とう）」を素早く容易に入力することができる。
【００７４】
図１０（ｂ）〜図１０（ｆ）に示す他の例も同様に、各図に示す矢印通りに、テンキー３上で指等を移動させれば、熟語「特別（とく  べつ）」、「車種（しゃ  しゅ）」、「潮流（ちょう  りゅう）」、「一般（いっ  ぱん）」、「出色（しゅっ  しょく）」を素早く容易に入力することができる。
【００７５】
その他に、より素早く容易に文字入力を行う方法として、ローマ字による短縮入力を行うことが望ましい。
すなわち、キー入力装置は、入力モードを切り替えずにアルファベット入力ができるため、ローマ字で単語・文章等の登録を行っておけば、その特徴を活かして容易に文字入力を行うことができる。
【００７６】
以下にその例を挙げる。なお、左が入力されるアルファベット（ローマ字）であり、右が表示される語である。
Ａ．ＫＹ語・・・日本語の文章を略して各単語の先頭のアルファベットや数字を組み合わせた略語群を指す。
・ｋｙ  →  空気読めない
・ｙｍ  →  やる気まんまん
・ｗｈ  →  話題変更
Ｂ．カタカナ語・・・カタカナ表記で音写した外来語を指す語。
・ｉｎｔ  →  インターナショナル
・ｔｅｋ  →  テクノロジー
・ｓｕｐ  →  スペシャリスト
Ｃ．常用語
・ａｒｉ  →  ありがとうございます。
・ｇｏｂ  →  ご無沙汰しています。
・ｏｓｅ  →  お世話になっています。
【００７７】
以上のような速記入力モードやローマ字短縮入力を駆使して文字入力を行えば、素早く容易に文章作成を行うことができる。
【００７８】
本実施の形態によれば、テンキー３における１２個のキートップ３ａ〜３ｌのそれぞれに各種文字・数字・記号が割り当てられ、数字はタップ操作により入力可能で、各種文字および記号はフリック操作により入力可能であるため、従来のように「かな」「英語」「数字」の三つの入力モードを切り替えることなく、各種文字・数字・記号の入力を行うことができる。これによって、文章入力のリズムが乱れることがない。
短距離・中距離・長距離におけるフリック操作時に、入力中の各種文字・記号が吹き出し表示される吹き出し表示部２ｂが、テンキー３上またはテンキー３の周囲に表示されるので、入力される文字や記号が何であるかを視認しながら入力操作を行うことができる。これによって、キートップ３ａ〜３ｌに割り当てられた全ての文字・数字・記号が“見える化”されることになり、容易に入力操作を行うことができる。
各種文字および記号は、キートップ３ａ〜３ｌにおける縦横斜め８方向のフリック操作およびその距離が判定手段９によって認識・判定されることで入力可能とされているので、文字入力のほとんどがフリック操作による入力で済むことになる。これによって、文字等の入力時にタップ操作とフリック操作とが混用されることが少なくなり、容易に入力操作を行うことができる。
各種文字が仮名の場合には、清音大文字が短距離のフリック操作に割り当てられ、清音大文字に対応した濁音文字または小文字が中距離または長距離のフリック操作に割り当てられ、清音大文字に対応した半濁音文字が長距離のフリック操作に割り当てられており、各種文字がアルファベットの場合には、小文字が短距離のフリック操作に割り当てられ、大文字が中距離または長距離のフリック操作に割り当てられているので、中距離または長距離のフリック操作を行うだけで、濁音文字や半濁音文字、小文字、大文字の入力を行うことができる。これによって、濁音文字や半濁音文字、小文字、大文字を、複数のキーを介して入力する必要がなくなり、濁音文字や半濁音文字、小文字、大文字の入力が容易になる。
記号の場合には、使用頻度の高い記号が短距離のフリック操作に割り当てられ、使用頻度の高い記号と関連性の高い記号が中距離または長距離のフリック操作に割り当てられているので、使用頻度の高い記号がキートップ３ａ，３ｊ，３ｋ，３ｌに割り当てられていれば、従来のように「かな」「英語」「数字」の三つの入力モードを切り替えることなく、目当ての記号を探すことができる。これによって、記号の入力が容易になる。
以上のようなキー入力装置によれば、各種文字・数字・記号の入力時における操作性を向上できるので、スマートフォンやタブレットＰＣ等の携帯型の情報端末が使いやすくなる。
【００７９】
また、吹き出し表示部２ｂは、３段階の距離ごとに異なる色付けがなされているので、入力される文字や記号が短距離・中距離・長距離のいずれの段階であるかを視認しながら入力操作を行うことができる。
【００８０】
また、左右対応の各種文字・記号は、キートップ３ａ〜３ｌにおける上段または下段の領域において異なる方向にフリック操作されて入力される他の各種文字・記号よりも、キートップ３ａ〜３ｌにおける中段の領域に寄って配置されているので、左右対応の各種文字・記号を入力する時に、フリック操作の方向を直感的に理解しやすくなる。
【００８１】
また、機能キーエリア４に向かってフリック操作が行われて各種文字・記号が入力される場合のために、機能キーエリア４上で、かつ機能キーエリア４を越えない範囲で３段階のフリック操作が可能に設定されているので、テンキー３の側端部に位置するキートップ３ａ，３ｄ，３ｅ，３ｋ，３ｃ，３ｆ，３ｉ，３ｌに割り当てられた各種文字・記号に３段階のフリック操作が必要なものがあった場合でも、当該各種文字・記号の入力操作を確実に行うことができる。
【００８２】
また、機能キーエリア４に設けられた一括消去用の前記キートップ４ｆにおける文字列を左側に一括消去するための機能には、左側へのフリック操作が割り当てられ、文字列を右側に一括消去するための機能には、右側へのフリック操作が割り当てられているので、文字列を消去する場合に、例えば一文字ずつ消去するよりも手間なく、しかも簡単な操作で一括消去できることになる。そのため、文字等の入力時における補助機能として、文字等の入力時における操作性の向上に貢献することができる。
【００８３】
また、熟語を構成する音読み漢字の語尾の規則性に基づいて、熟語の入力時に使用頻度の高い語尾を表す仮名が、テンキー３を構成するキートップ３ａ〜３ｌの縁部に割り当てられて、音読み漢字の語頭を表す仮名と組み合わせて入力可能となっているので、熟語を構成する音読み漢字の語頭の位置から始めて語尾の位置で終わる入力操作を行うことで、音読み漢字の入力を素早く容易に行うことができる。
【００８４】
〔変形例〕
なお、本考案を適用可能な実施形態は、上述した実施形態に限定されることなく、本考案の趣旨を逸脱しない範囲で適宜変更可能である。以下、変形例について説明する。以下に挙げる変形例は可能な限り組み合わせてもよい。
【００８５】
〔変形例１〕
図１１に示すテンキー３０は、上述したテンキー３の変形例であり、１２個のキートップ３ａ〜３ｌに表示される仮名・記号の上下の配置が逆になっている。すなわち、仮名が、各キートップ３ａ〜３ｌの下段の領域に表示され、記号が、各キートップ３ａ〜３ｌの上段の領域に表示されている。
このようなテンキー３０の場合は、上述のテンキー３とはフリック操作の方向が上下逆となる。例えば、キートップ３ａの場合において、仮名「う」を入力する場合は、下方に向かってフリック操作を行う。
なお、吹き出し表示部２ｂは、上述の実施形態と同様に、上側に向かって吹き出し表示されるものとする。
また、速記入力モードでは、熟語の入力時に使用頻度の高い語尾を表す仮名が、キートップ３ａ，３ｂ，３ｄ，３ｈ，３ｉ，３ｊの下縁部に割り当てられる。
このようなテンキー３０の場合も、上述の実施形態で説明したテンキー３と同様の使い勝手で文字入力を行うことができる。また、ユーザが適宜設定変更を行い、上述の実施形態で説明したテンキー３から本変形例のテンキー３０に切り替えを行えるようにしてもよい。
【００８６】
〔変形例２〕
図１２に示すテンキー３１は、各キートップ３ａ〜３ｌにおける下段の領域に表示されるアルファベットが、ＱＷＥＲＴＹ配列に基づいた配置となっている。
なお、ユーザが適宜設定変更を行い、上述の実施形態で説明したテンキー３から本変形例のテンキー３１に切り替えを行えるようにしてもよい。これによって、ＱＷＥＲＴＹ配列に慣れたユーザにとって使い勝手の良いものとなる。
【００８７】
〔変形例３〕
図１３に示すテンキー３２は、干支配列となっている。
すなわち、各キートップ３ａ〜３ｌにおける中段の領域には、「十二支」を表す漢字がそれぞれ表示されている。
また、上段の領域には「十二支」と組み合わせられる「十干」を表す漢字がそれぞれ表示されている。
また、下段の領域には「六曜」を表す漢字がそれぞれ表示されている。
なお、ユーザが適宜設定変更を行い、上述の実施形態で説明したテンキー３から本変形例のテンキー３１に切り替えを行えるようにしてもよい。これによって、干支配列を入力したいユーザにとって使い勝手の良いものとなる。
【００８８】
〔変形例４〕
図１４に示すテンキー３３は、上述したテンキー３の変形例であり、１０個のキートップ３ａ〜３ｊに表示される仮名が、これら各キートップ３ａ〜３ｊの上段と中段の領域とを利用して円弧状に配列されている。これは、図１４の右側に示す「８方向フリックの方向」に対応するものである。
より具体的には、例えばキートップ３ａを例に挙げて説明すると、上述したテンキー３と比べて、「あ」と「１」と「お」が中段の領域に配置され、「う」が上段の領域に配置され、「い」と「え」が、上段の領域における中段領域側に寄せて配置された状態となっている。
なお、「い」と「え」について、そのフリック操作は、判定手段９による認識・判定では上段の領域として行われるものとするが、キートップ３ａ上の表示自体は上段の領域と中段の領域に跨っていてもよい。
キートップ３ｈでは、「ｓ」と「ｗ」が中段の領域に配置されている。
【００８９】
また、１２個のキートップ３ａ〜３ｌに表示されるアルファベットおよび記号は、「ｓ」と「ｗ」を除き、下段の領域に横一列で配置されている。さらに、アルファベットについては小文字の状態で表示されている。
キートップ３ｂを例に挙げて説明すると、アルファベット「ａ」、「ｂ」、「ｃ」は小文字で表示されており、横一列に並んで配置されている。そして、「ａ」は仮名「き」の下方に位置し、「ｂ」は仮名「く」の下方に位置し、「ｃ」は仮名「け」の下方に位置している。
【００９０】
このようなテンキー３３の構成によれば、上述の実施形態で説明したテンキー３の場合よりも、仮名の表示がより８方向のフリック操作に対応したものとなるので、文字入力の際の使い勝手を向上させることが可能となる。換言すれば、ユーザが、各種文字を入力する時に、８方向のフリック操作の方向をより直感的に理解しやすくなる。
なお、ユーザが適宜設定変更を行い、上述の実施形態で説明したテンキー３から本変形例のテンキー３３に切り替えを行えるようにしてもよい。
【００９１】
〔変形例５〕
図１５に示すテンキー３４は、上述したテンキー３（およびテンキー３３）の変形例であり、１０個のキートップ３ａ〜３ｊに表示される仮名とアルファベットがサークル状に配列されている。これは、図１５の右側に示す「８方向フリックの方向」に対応するものである。
より具体的には、例えばキートップ３ｂを例に挙げて説明すると、「か」と「２」と「こ」が中段の領域に配置され、「く」が上段の領域に配置され、「き」と「け」が、上段の領域における中段領域側に寄せて配置された状態となっている。
また、「Ｂ」が下段の領域に配置され、「Ａ」と「Ｃ」が下段の領域における中段領域側に寄せて配置された状態となっている。
なお、記号は、下段の領域において横一列に並んで配置されている。
このようなテンキー３４の構成によれば、上述の実施形態で説明したテンキー３（およびテンキー３３）の場合よりも、仮名の表示がより８方向のフリック操作に対応したものとなるので、文字入力の際の使い勝手を向上させることが可能となる。換言すれば、ユーザが、各種文字を入力する時に、８方向のフリック操作の方向をより一層、直感的に理解しやすくなる。
【００９２】
〔変形例６〕
上記の実施形態では、半濁音文字「ぱぴぷぺぽ」の入力時には長距離のフリック操作を行うものとしたが、本変形例では、異なる手法で半濁音文字を入力できる。
すなわち、本変形例においては、テンキー３における他のキートップ３ｋが、仮名「は行」の濁音文字を半濁音文字に変換する機能を有する。換言すれば、他のキートップ３ｋは、「は行」が表示されたキートップ３ｆと連動している。そして、他のキートップ３ｋは、キートップ３ｆを操作して文字入力を行う際において、文字入力欄２ａに濁音文字が確定前の状態で入力された場合にのみ、その濁音文字を半濁音文字に変更表示させる機能が作動するように設定されている。
このような他のキートップ３ｋの機能によれば、キートップ３ｆを、８方向のうち下方側を除く５方向のいずれかに中距離のフリック操作を行った後に、キートップ３ｋをタップ操作することで半濁音文字を入力することが可能となっている。
例えば「ぱ」を入力する場合を例に挙げて説明すると、キートップ３ｆを左方向に中距離のフリック操作を行うことで、文字入力欄２ａに一旦、濁音文字である「ば」を表示させる。続いて、キートップ３ｋをタップ操作する（「◎」マークを押す）。このような操作によって、文字入力欄２ａに半濁音文字の「ぱ」を表示させることができる。この時さらに、機能キー４におけるキートップ４ｇ［変換］をタップ操作することで、「派」や「羽」等の漢字やカタカナに変換することもできる。再度、キートップ３ｋをタップ操作する（「◎」マークを押す）ことで、濁音文字に戻すこともできる。
このような半濁音文字の入力については、機能キー４におけるキートップ４ｄの［設定］からユーザが適宜設定変更を行い、本変形例における他のキートップ３ｋの機能に切り替えを行えるようにしてもよい。
【００９３】
〔変形例７〕
図１６に示すリモコン２０は、携帯機器や各種電子機器とデータ通信可能に接続されており、各種機器の画面（例えばタッチパネル式表示部２）を見ながら、各種機器に搭載されたキー入力装置に対応して文字入力等の操作を遠隔で行うことができるものである。
本変形例におけるリモコン２０は、本体板部２１と、把持部２２と、を備えており、図に示すように羽子板状（ラケット状）に形成されている。また、本体板部２１には、複数の操作キー２３ａ〜２３ｌ，２４ａ〜２４ｈを有する操作部２１ａが設けられている。
【００９４】
本体板部２１は、把持部２２に対して幅広に形成され、表面に、操作部２１ａが設けられている。内部には、図示はしないがＣＰＵ（Central Processing Unit）等からなる演算部や、各種データ・プログラムを記憶する記憶部、データ通信を可能とする通信部等、キー入力装置と連動して動作するために必要な物が納められている。
【００９５】
把持部２２は、本体板部２１に対して幅狭に形成され、ユーザの手Ｈによって、あたかも卓球のラケット（羽子板）のように把持しやすく形成されている。このように把持しやすいため、片手親指入力も容易に行うことができる。
なお、本体板部２１と把持部２２は一体形成されており、図示はしないが厚みも略等しく設定されている。
【００９６】
操作部２１ａは、テンキー対応部２３と、機能キー対応部２４と、を有する。この操作部２１ａには、例えばタッチパッドやタッチパネルのように、接触したユーザの指等の動きを検知できるものが採用される。
【００９７】
操作部２１ａにおけるテンキー対応部２３は、キー入力装置におけるテンキー３に対応し、テンキー３と同じ操作で文字入力を行う機能を備える。
このテンキー対応部２３は、縦３行・横４列に並ぶテンキー３における１２個のキートップ３ａ〜３ｌに対応して、縦３行・横４列に並ぶ１２個の操作キー２３ａ〜２３ｌを有するようにエリア分けされている。
例えば、テンキー対応部２３の左上にエリア分けされた操作キー２３ａを操作することで、離れた場所にある各種機器におけるキー入力装置のキートップ３ａを遠隔操作することができる。
より具体的には、テンキー対応部２３における１２個の操作キー２３ａ〜２３ｌには、縦横斜め８方向に対応して、仮名やアルファベット、記号等の各種文字が割り当てられる８個の区画Ｄ１〜Ｄ８が仮想的に設定されている。そして、当該８個の区画Ｄ１〜Ｄ８の方向にフリック操作を行うことによって仮名と、アルファベットまたは記号が入力可能となっている。また、フリック操作の距離は、短距離・中距離（ロングフリック）・長距離（長ロングフリック）の３段階に設定され、その距離の段階に応じて、異なる各種文字が入力可能とされている。さらに、タップ操作で、数字を入力することもできる。
そして、テンキー対応部２３における１２個の操作キー２３ａ〜２３ｌのうち、［０］から［９］の数字が対応して割り当てられた１０個の操作キー２３ａ〜２３ｊでは、仮名と、アルファベットまたは記号が入力可能であり、他の操作キー２３ｋ，２３ｌでは記号が入力可能となっている。
すなわち、キー入力装置の場合と同様の操作を、リモコン２０の操作部２１ａで行うことによって、キー入力装置を備えた各種端末での文字入力が可能となっている。
【００９８】
操作部２１ａにおける機能キー対応部２４は、キー入力装置における機能キー４に対応し、機能キー４と同じ操作で文字入力の補助を行う機能を備える。
この機能キー対応部２４は、機能キー４における左右４個ずつのキートップ４ａ〜４ｈに対応して、テンキー対応部２３の左右に４個ずつの操作キー２４ａ〜２４ｈを有するようにエリア分けされている。
例えば、右側列の機能キー対応部２４の一番下にエリア分けされた操作キー２４ｈを操作することで、離れた場所にある各種機器におけるキー入力装置のキートップ４ｈを遠隔操作することができる。
【００９９】
なお、テンキー対応部２３および機能キー対応部２４における各操作キー２３ａ〜２３ｌ，２４ａ〜２４ｈには、キー入力装置とは異なり、文字表示が施されていない。敢えて文字表示を施さないことで、様々な機器に対応することができるとともに、将来的に文字配列が多様化した場合にも対応することができる。
文字表示を施さない代わりに、図示例のように、各操作部分の中央に指のガイド（指掛かり）となる凹凸を設けて、ブラインドタッチ等もできる程度に操作性を向上させる機能を持たせてもよい。
なお、各操作部分における凹凸（指掛かり）は、本変形例では円状であるが、これに限られない。また、この指掛かりは凹んでいてもよいし、突出していてもよい。また、各操作部分の境界に、エリアを明確にする突条（または凹溝）を形成してもよい。
【０１００】
また、本変形例におけるリモコン２０は、ユーザの手Ｈに収まる程度の大きさに設定されており、スマートフォンやタブレットＰＣ、ウォッチ型端末等と一緒に持ち歩くのに好適である。
また、いわゆるテンキーボード（テンキーを主体として構成された入力装置）と同様に卓上にて使用してもよい。
【０１０１】
リモコン２０を手に持って操作する場合には、図示例のように薬指および小指と、親指の付け根にある母指球とで把持部２２を握り、人差し指および中指を本体板部２１の背面に当てて支えとし、親指を動かすことにより操作部２１ａの操作を行う操作形態が好適である。ただし、これに限られるものではなく、個人の手の形状や大きさに応じて適宜変更してもよい。例えば、中指・薬指・小指と、母指球とで把持部２２をより確実に握り、人差し指を本体板部２１の背面に当てて、親指で操作を行ってもよい。
操作キー２３ｆを親指で操作する場合を例に挙げると、まず、親指によるタップ操作によって数字の「６」が入力可能である。
そして、左方向へのフリック操作に対応した清音大文字である「は」は、通常のフリック長さである短距離の親指によるフリック操作によって入力可能となっている。
濁音文字である「ば」は、短距離のフリック操作よりも長いフリック長さに設定された中距離の親指によるフリック操作によって入力可能である。
半濁音文字である「ぱ」は、中距離のフリック操作よりも長いフリック長さに設定された長距離の親指によるフリック操作によって入力可能である。
すなわち、キートップ２３ｆの場合は、清音大文字が「は」であるため、清音大文字と濁音文字と半濁音文字の３段階でのフリック操作が行われる。
【０１０２】
以上のようなリモコン２０を用いれば、携帯機器や各種電子機器等に搭載されたキー入力装置に対応して文字入力等の操作を遠隔で行うことができる。
特に、タブレットＰＣのように携帯機器等が片手親指入力に適さない大きさである場合において本変形例のリモコン２０は好適である。反対に、テキスト入力に適さないウォッチ型端末のような小型端末の場合にも、リモコン２０を使用して文字入力を行うことができるので好ましい。
【符号の説明】
【０１０３】
１  筐体
２  タッチパネル式表示部
２ａ  文字入力欄
２ｂ  吹き出し表示部
２ｃ  検知手段
３  テンキー
３ａ〜３ｌ  キートップ
４  機能キー
４ａ〜４ｈ  キートップ
７  対応表
８  対応表
９  判定手段
９ａ  第一判定手段
９ｂ  第二判定手段
９ｃ  第三判定手段
１０  吹き出し表示手段
１１  機能キーエリア検知判定手段
１１ａ  第一判定エリア
１１ｂ  第二判定エリア
１１ｃ  第三判定エリア
Ｃ  中心区画
Ｄ１  第一区画
Ｄ２  第二区画
Ｄ３  第三区画
Ｄ４  第四区画
Ｄ５  第五区画
Ｄ６  第六区画
Ｄ７  第七区画
Ｄ８  第八区画
【図２】
0003201735.tif 000003
【図４】
0003201735.tif 000004
【図５】
0003201735.tif 000005
【図９】
0003201735.tif 000006
【図１０】
0003201735.tif 000007
【図１１】
0003201735.tif 000008
【図１２】
0003201735.tif 000009
【図１３】
0003201735.tif 000010
【図１４】
0003201735.tif 000011
【図１５】
0003201735.tif 000012
【図１６】
0003201735.tif 000013
【図１】
0003201735.tif 000014
【図３】
0003201735.tif 000015
【図６】
0003201735.tif 000016
【図７】
0003201735.tif 000017
【図８】
0003201735.tif 000018